(57)【要約】【課題】建て枠を利用して枠組み足場を組み立てるとき、この枠組み足場の安全性を高めるための安全桟を容易に取り付けることができる金具を提供する。【解決手段】仮設足場用建て枠１の垂直支柱部２から突設されたブレース取付け用ピン５ｂに嵌合する貫通孔２８を有する本体２３と、この本体２３から突設された部材取付け用ピン２４とから成る仮設足場用部材取付け金具において、前記部材取付け用ピン２４は、先端側に抜け止め具７を備えたピン本体６と、このピン本体６と前記本体２３との間に介装される延長用スリーブ３４から成り、この部材取付け用ピン２４が、前記本体２３の内側から延長用スリーブ３４内を貫通して前記ピン本体６に内嵌するボルト３５によって取り付けられた構成。【選択図】図６
2010265743.tif 000002
【特許請求の範囲】
【請求項１】
仮設足場用建て枠の垂直支柱部から突設されたブレース取付け用ピンに嵌合する貫通孔を有する本体と、この本体から突設された部材取付け用ピンとから成る仮設足場用部材取付け金具において、前記部材取付け用ピンは、先端側に抜け止め具を備えたピン本体と、このピン本体と前記本体との間に介装される延長用スリーブから成り、この部材取付け用ピンが、前記本体の内側から延長用スリーブ内を貫通して前記ピン本体に内嵌するボルトによって取り付けられている、仮設足場用部材取付け金具。
【請求項２】
前記ボルトは、前記本体の取付け孔から延長用スリーブとピン本体内に挿入されると共に、ピン本体の内周面の一部がカシメにより前記ボルトの螺軸部に圧着されている、請求項１に記載の仮設足場用部材取付け金具。
【請求項３】
前記延長用スリーブは、前記本体に当接する側の端部に大径フランジ部を備えている、請求項１又は２に記載の仮設足場用部材取付け金具。
【請求項４】
前記本体には、前記垂直支柱部の周面に当接する当接部が設けられ、この当接部により、この本体の内側に位置する前記ボルトの頭部が前記垂直支柱部の周面に当接しない位置に前記本体が位置決めされる、請求項１〜３の何れか１項に記載の仮設足場用部材取付け金具。
【請求項５】
前記本体は、上端側に前記貫通孔を有する垂直部材と、前記垂直支柱部に外嵌するコ形部材とから成り、このコ形部材の内側に嵌合させた前記垂直部材の下端部と前記コ形部材とが、これらを内側から外向きに貫通する前記ボルトの頭部と前記延長用スリーブとの間で挟持されて互いに固定されている、請求項１〜６の何れか１項に記載の仮設足場用部材取付け金具。
【請求項６】
前記垂直部材は、その長さ方向に沿って左右両側壁部を有する横断面溝形であって、その左右両側壁部間に前記ボルトの頭部が遊嵌している、請求項５に記載の仮設足場用部材取付け金具。
【請求項７】
前記本体は、前記垂直支柱部の左右両側に位置する左右両側板部を備え、この左右両側板部の遊端部間に掛け外し自在な係止ピンが架設されている、請求項１〜６の何れか１項に記載の仮設足場用部材取付け金具。
【発明の詳細な説明】
【技術分野】
【０００１】
本発明は、建設現場に仮設される枠組み足場に安全用桟などを取り付けるための仮設足場用部材取付け金具に関するものである。
【背景技術】
【０００２】
建設現場において仮設される枠組み足場は、適当間隔おきに並列配置すると共に所要段数上方向に継ぎ足した門形の建て枠間で水平に足場板を支持させ、水平方向前後に隣り合う建て枠どうしを交叉ブレースで互いに連結して構成される。而して、このように構成された枠組み足場において、前後に隣り合う建て枠間で足場板上に形成される作業者通路の少なくとも外側（建造物のある側とは反対側）には、前記交叉ブレースが配設されているので、当該作業者通路上から外側への作業者の落下事故は前記交叉ブレースによって防止できると考えられていたが、交叉ブレースと足場板との間には、側面視で中央部が高くなる二等辺三角形の空間が形成されており、足場板上で外向きに足を滑らせると、落下事故につながる可能性は大きい。
【０００３】
上記のような問題点を解消するために、前後に隣り合う建て枠間で足場板に近い高さに落下防止用の安全桟を水平に架設することが考えられたが、従来は、単管で足場などを組み立てる際に使用される汎用パイプクランプにより、前記安全桟として水平に配置した鋼管を各建て枠の垂直支柱部に結合することが試みられていたに過ぎず、簡単に安全桟を架設できる専用の金具は考えられていなかった。勿論、特許文献１に記載されるような手摺材架設用金具の構成を安全桟の取付け金具に応用することも考えられるが、この特許文献１に記載された手摺材架設用金具では、単に、建て枠の垂直支柱部に突設されているブレース取付け用ピンと同様の抜け止め具付きピンを金具から単に固着突設することが開示されているに過ぎず、当該手摺材取付け用ピンの詳細構造は開示されていない。
【先行技術文献】
【特許文献】
【０００４】
【特許文献１】特開２００４−３１６１５７号公報
【発明の概要】
【発明が解決しようとする課題】
【０００５】
上記の特許文献１に記載された手摺材架設用金具では、隣り合う建て枠間に架設された交叉ブレースの外側で手摺材を架設するものであるから、当該手摺材が交叉ブレースと干渉して取り付けられなくなることは考えられないが、仮にこの特許文献１に記載された手摺材架設用金具を、交叉ブレースを取り付ける前のブレース取付け用ピンに取り付け、この金具から突出しているブレース取付け用ピンにブレースを取り付け、このブレースの外側に重なるように手摺材を金具の手摺材取付け用ピンに取り付ける場合を想定すると、ブレースと手摺材とが干渉するのを避けるために、この金具に突設させる手摺材取付け用ピンとして、建て枠に取り付けられているブレース取付け用ピンより有効長さの長い特殊サイズの抜け止め具付きピンが必要になり、建て枠の垂直支柱部に取り付けられる前の市場に流通している抜け止め具付きピンをそのまま活用することができない。
【課題を解決するための手段】
【０００６】
本発明は、上記のような従来の問題点を解消することのできる仮設足場用部材取付け金具を提案するものであって、請求項１に記載の本発明に係る仮設足場用部材取付け金具は、後述する実施形態の参照符号を付して示すと、仮設足場用建て枠１の垂直支柱部２から突設されたブレース取付け用ピン５ｂに嵌合する貫通孔２８を有する本体２３と、この本体２３から突設された部材取付け用ピン２４とから成る仮設足場用部材取付け金具において、前記部材取付け用ピン２４は、先端側に抜け止め具７を備えたピン本体６と、このピン本体６と前記本体２３との間に介装される延長用スリーブ３４から成り、この部材取付け用ピン２４が、前記本体２３の内側から延長用スリーブ３４内を貫通して前記ピン本体６に内嵌するボルト３５によって取り付けられた構成となっている。
【０００７】
上記本発明を実施する場合、具体的には請求項２に記載のように、前記ボルト３５は、前記本体２３の取付け孔２９から延長用スリーブ３４とピン本体６内に挿入すると共に、ピン本体６の周壁の一部をカシメ４５により前記ボルト３５の螺軸部３５ａに圧着することにより、当該ピン本体６と固定することができる。
【０００８】
又、請求項３に記載のように、前記延長用スリーブ３４には、前記本体２３に当接する側の端部に大径フランジ部３４ａを設けることができる。
【０００９】
又、請求項４に記載のように、前記本体２３には、前記垂直支柱部２の周面に当接する当接部（嵌合当接部２７）を設け、この当接部（嵌合当接部２７）により、この本体２３の内側に位置する前記ボルト３５の頭部が前記垂直支柱部２の周面に当接しない位置に前記本体２３を位置決めすることができる。
【００１０】
更に、請求項５に記載のように、前記本体２３は、上端側に前記貫通孔２８を有する垂直部材３８と、前記垂直支柱部２に外嵌するコ形部材３９とから構成し、このコ形部材３９の内側に嵌合させた前記垂直部材３８の下端部と前記コ形部材３９とを、これらを内側から外向きに貫通する前記ボルト３５の頭部と前記延長用スリーブ３４との間で挟持させて互いに固定することができる。この場合、請求項６に記載のように、前記垂直部材３８は、その長さ方向に沿って左右両側壁部３８ｂ，３８ｃを有する横断面溝形とし、その左右両側壁部３８ｂ，３８ｃ間に前記ボルト３５の頭部を遊嵌させることができる。
【００１１】
又、請求項７に記載のように、前記本体２３は、前記垂直支柱部２の左右両側に位置する左右両側板部２６ａ，２６ｂ，３９ａ，３９ｂを備えた構造とし、この左右両側板部２６ａ，２６ｂ，３９ａ，３９ｂの遊端延出部３０ａ，３０ｂ，４１ａ，４１ｂ間に掛け外し自在な係止ピン２５を架設することができる。
【発明の効果】
【００１２】
請求項１に記載の本発明の仮設足場用部材取付け金具によれば、建て枠を利用して仮設の枠組み足場を組み立てるときに、各建て枠の少なくとも外側（建造物のある側とは反対側）の垂直支柱部の下側のブレース取付け用ピンにブレースを取り付ける前に、本発明による取付け金具の本体の貫通孔を前記ブレース取付け用ピンに嵌合させる。この後、当該本体の貫通孔から突出するブレース取付け用ピンにブレースを取り付けて、隣り合う建て枠どうしを交叉ブレースで連結するのであるが、この交叉ブレースの取り付け前又は交叉ブレースの取り付け後に、前記本体から突出している部材取付け用ピンに、前記ブレースと同一構造で長さを隣り合う建て枠間の間隔に合わせて短くした安全桟の端部を取り付けることにより、隣り合う建て枠間に安全桟を、交叉ブレースの下端レベルに近い高さで水平に架設することができる。
【００１３】
即ち、建て枠によって支持される足場板に対して少し高いレベルで建て枠の垂直支柱の内側に水平に架設される安全桟により、足場板上で作業者が外向きに足を滑らせても、足場板上からの落下を前記安全桟により防止することができ、所期の安全効果を得ることができるのであるが、本発明の仮設足場用部材取付け金具によれば、ブレースと同一構造で長さを隣り合う建て枠間の間隔に合わせて短くした、汎用の足場組立て用鋼管と比較して軽量で取扱いが容易な安全桟を準備しておくだけで、枠組み足場側の建て枠が備えるブレース取付け用ピンを利用して、建て枠間の一定高さに当該安全桟を極めて簡単容易に架設することができる。
【００１４】
しかも本発明の構成によれば、先端側に抜け止め具を備えたピン本体を直に本体に固着するのではなく、このピン本体と前記本体との間に延長用スリーブを介装するものであるから、先端側に抜け止め具を備えたピン本体そのものの長さに関係なく、適当な長さの延長用スリーブを使用するだけで、部材取付け用ピンの全長を前記ピン本体の長さよりも必要なだけ長くすることができる。換言すれば、既製品であって大量に流通市場に出回っている、仮設足場用建て枠の垂直支柱部に取り付けられる前のブレース取付け用ピンを前記ピン本体に転用し、これに適当長さの延長用スリーブを組み合わせるだけで、長尺の部材取付け用ピンを構成することができるので、最初から長尺サイズの部材取付け用ピンを製造するよりも金具全体を安価に実施することができる。従って、建て枠の垂直支柱に突設されているブレース取付け用ピンよりも有効長さ領域の長い長尺の部材取付け用ピンが必要になる場合、即ち、建て枠の垂直支柱に突設されているブレース取付け用ピンを利用して先に本発明金具を取り付けた後、本発明金具の本体から突出している前記ブレース取付け用ピンにブレースを取り付ける場合で、本発明金具の本体を上下逆向きにして、前記ブレースの外側に重なる状態で安全桟などを本発明金具の部材取付け用ピンに取り付けることができるようにする場合には、前記ブレース取付け用ピンよりも有効長さ領域の長い長尺の部材取付け用ピンを本体から突設する必要があるが、本発明の構成は、特にこのような場合に効果を発揮するものである。更に、１本のボルトを使用して延長用スリーブとピン本体とを同心状に本体に取り付けることができ、その組み立ても簡単容易に行なえる。
【００１５】
尚、請求項２に記載の構成によれば、ピン本体の内周面にネジ溝加工する場合よりも簡単に実施することができ、しかも、単にボルトを延長用スリーブとピン本体に圧入して固定する場合よりも、確実強固にピン本体を金具本体に結合一体化することができる。更に、請求項３に記載の構成によれば、部材取付け用ピン全体を金具本体から直角向きに強固に取り付けることができる。
【００１６】
又、請求項４に記載の構成によれば、部材取付け用ピンを本体に取り付けるボルトの頭部と建て枠の垂直支柱部の周面とが干渉して、本体の姿勢や位置が不安定になるのを未然に防止でき、常に本発明金具を安定させて所定位置に確実に取り付けることができる。
【００１７】
更に、請求項５に記載の構成によれば、金具本体を、上端側に貫通孔を有する垂直部材と、前記垂直支柱部に外嵌するコ形部材とに分けて構成できるので、金具本体の全体を垂直部とコ形部とを有する形状に一体成形する場合よりも、成形が容易で安価に実施することができるのであるが、この場合に必要な垂直部材とコ形部材とを結合する結合具を、部材取付け用ピンを組み立てると共に本体に取り付けるための１本のボルトで兼用させることになるので、部品点数を少なくし、コストダウンを図ることができる。この場合、請求項６に記載の構成によれば、垂直部材の曲げ強度を高めることができると共に、請求項４に記載の構成による効果も同時に得ることができる。
【００１８】
仮設足場用建て枠は、その垂直支柱部の内側にブレースを交叉状に架設するためのブレース取付け用ピンが突設されているものでなくてはならないが、構造そのものが全て同一であるとは限らない、例えば、建て枠の垂直支柱部の内側に付設されている補強用枠材の下端が下側のブレース取付け用ピンの直下において垂直支柱部に固定された構造のものもある。このような構造の建て枠では、補強用枠材の下端部が邪魔になって、ブレース取付け用ピンから下側に前記本体をぶら下げることができない。しかしながら、請求項７に記載の構成によれば、前記ブレース取付け用ピンの上側に部材取付け用ピンが位置する上下逆向きに前記本体を取り付けても、当該ブレース取付け用ピンと本体側の貫通孔との間の遊びによって、本体が建て枠の垂直支柱部から離れる内側に向かって傾動するのを係止ピンで防止することができる。換言すれば、前記本体を上下逆向きに取り付けた場合も、当該本体を建て枠の垂直支柱部に沿う姿勢に保持することができ、安全桟を建て枠の垂直支柱部に隣接する位置に確実に保持して架設することができる。
【図面の簡単な説明】
【００１９】
【図１】枠組み足場の構成を説明する縦断側面図である。
【図２】Ａ図は建て枠の正面図、Ｂ図及びＣ図は建て枠の垂直支柱部に突設されているブレース取付け用ピンを示す一部縦断側面図である。
【図３】本発明の第一実施例に係る金具の側面図である。
【図４】図３の正面図である。
【図５】図３の平面図である。
【図６】図３の一部横断平面図である。
【図７】同上金具の使用状態を示す一部縦断側面図である。
【図８】図７の使用状態を示す正面図である。
【図９】同上金具の別の使用状態を示す一部縦断側面図である。
【図１０】図９の使用状態を示す正面図である。
【図１１】本発明の第二実施例に係る金具を示し、Ａ図は平面図、Ｂ図は側面図、Ｃ図は底面図である。
【図１２】同上金具の縦断側面図である。
【図１３】同上金具の一部横断平面図である。
【図１４】同上金具の正面図である。
【図１５】本発明の第三実施例に係る金具の縦断側面図である。
【図１６】同上金具の平面図である。
【図１７】同上金具の変形例を示す平面図である。
【発明を実施するための形態】
【００２０】
図１及び図２に示すように、枠組み足場を組み立てるための門形の建て枠１は、左右一対のパイプ材から成る垂直支柱部２の上端どうしを水平連結材３により連結一体化すると共に、各垂直支柱部２と水平連結材３との入隅側に補強用枠材４を固着して構成されたもので、各垂直支柱部２には、上下両端近傍位置で内向きにブレース取付け用ピン５ａ，５ｂが突設されている。尚、補強用枠材４は、上端が水平連結材３に固着されると共に外向き下端部が各垂直支柱部２に固着されたＬ形部材４ａと、このＬ形部材４ａの垂直部分と各垂直支柱部２との間に上下複数段に架設された水平連結部材４ｂとから成るものであって、一般的には、Ｌ形部材４ａの外向き下端部は、下側のブレース取付け用ピン５ｂより相当距離上方に離れた位置で垂直支柱部２に固着されるが、ものによっては、図２に仮想線で示すように、下側のブレース取付け用ピン５ｂの直下の位置で垂直支柱部２に固着される。
【００２１】
ブレース取付け用ピン５ａ，５ｂは、図２Ｂに示すように、一定長さのパイプ材から成るピン本体６に、その先端から所要長さのスリット６ａを下側周面に形成すると共に、当該スリット６ａに嵌合する抜け止め具７の基部をピン本体６に水平支軸８により、斜めに突出する抜け止め作用姿勢と全体がピン本体６内に入り込む抜け止め解除姿勢との間で上下揺動自在に軸支し、この抜け止め具７を抜け止め作用姿勢に付勢保持するスプリング９を組み込んで成るものが一般的である。しかし、図２Ｃに示すように、無垢材のピン本体１０の先端二股部１０ａに抜け止め具１１を垂直向きに嵌合すると共に、この抜け止め具１１に設けられた長さ方向の長孔１２を横断貫通する水平支軸１３を先端二股部１０ａに架設して、当該抜け止め具１１を、下端部１１ａが重力でピン本体１０から垂下する抜け止め作用姿勢と、上方に引き上げた抜け止め具１１を前方に倒伏させた、ピン本体１０と平行に前方に延長する抜け止め解除姿勢とに切り換え自在に構成されたブレース取付け用ピン５ａ，５ｂが採用された建て枠１もある。
【００２２】
上記のようなブレース取付け用ピン５ａ，５ｂを備えた門形の建て枠１は、水平方向に所定間隔おきに垂直に配置されると共に、各垂直支柱部２どうしを連結用垂直軸杆により同心状に連結することにより所要段数だけ上方に接続し、水平方向に隣り合う各建て枠１の水平連結材３間には足場板１４を、当該足場板１４の両端に突設されたフック部材１５を水平連結材３に上から嵌合させる方法で架設し、水平方向に隣り合う各建て枠１の左右同一側にある垂直支柱部２どうしはブレース１６ａ，１６ｂによって互いに連結される。
【００２３】
ブレース１６ａ，１６ｂは、パイプ材の両端を片側に寄せるように偏平状に押しつぶして偏平端部１７とし、この偏平端部１７に、前記ブレース取付け用ピン５ａ，５ｂの外径より若干大径の取付け孔１８を設けたものであって、両ブレース１６ａ，１６ｂの一端側の取付け孔１８を、両建て枠１における垂直支柱部２の下側のブレース取付け用ピン５ｂに内側から嵌合すると共に、両ブレース１６ａ，１６ｂの他端側の取付け孔１８を、両建て枠１における垂直支柱部２の上側のブレース取付け用ピン５ａに内側から嵌合することにより、水平方向に隣り合う両建て枠１の左右同一側にある垂直支柱部２間で交叉状に架設される。而して、これら交叉ブレース１６ａ，１６ｂの偏平端部１７がブレース取付け用ピン５ａ，５ｂから外れることは、各ブレース取付け用ピン５ａ，５ｂが備える抜け止め作用姿勢の抜け止め具７（又は抜け止め具１１）によって阻止されており、枠組み足場を解体するためにブレース１６ａ，１６ｂを建て枠１から取り外すときは、各ブレース取付け用ピン５ａ，５ｂの抜け止め具７（又は抜け止め具１１）を人手により抜け止め解除姿勢に切り換えた状態で、各ブレース１６ａ，１６ｂの偏平端部１７をブレース取付け用ピン５ａ，５ｂから抜き取れば良い。
【００２４】
以上のようにして枠組み足場を、建て枠１と足場板１４、及び交叉ブレース１６ａ，１６ｂにより組み立てるのであるが、枠組み足場が建造物に隣接して配設されるときは、交叉ブレース１６ａ，１６ｂは、各建て枠１の左右両垂直支柱部２の内、前記建造物に隣接しない外側の垂直支柱部２間にのみ張設しても良い。何れにしても、以上のようにして枠組み足場を組み立てるに際して、足場板１４上に形成される作業者通路の少なくとも交叉ブレース１６ａ，１６ｂが張設される側には、前後に隣り合う建て枠１の垂直支柱部２間に、比較的低いレベル、例えば足場板１４の上方１５０ｍｍ〜４００ｍｍ程度の高さで、安全桟１９が架設される。この安全桟１９は、ブレース１６ａ，１６ｂと同一構造のもので、長さのみ、前後に隣り合う建て枠１の垂直支柱部２間の間隔に合わせて短くしたものであり、両端の偏平端部２０に取付け孔２１が設けられている。
【００２５】
従って、図２に示すブレース取付け用ピン５ａ，５ｂの内、少なくとも下側のピン５ｂの抜け止め具７（又は抜け止め具１１）から内側の有効長さ領域Ｄ（図２Ｂ参照）が十分に長く構成されているときは、図１に仮想線で示すように、各建て枠１における垂直支柱部２の下側のブレース取付け用ピン５ｂに、当該建て枠１の前後両側に張設されるブレース１６ａ，１６ｂの偏平端部１７と、当該建て枠１の前後両側に張設される安全桟１９の偏平端部２０の、合計４つの偏平端部を重ねて嵌合係止させることができる。しかしながら現実には、従来周知の建て枠１に採用されているブレース取付け用ピン５ａ，５ｂは、２本のブレース１６ａ，１６ｂの取り付けのみを考慮して前記有効長さ領域Ｄが設定されているので、図１に実線で示すように、下側のブレース取付け用ピン５ｂから上下方向に離れた位置で建て枠１の垂直支柱部２に安全桟１９を取り付けるために、以下に説明する本発明の仮設足場用部材取付け金具が使用される。
【００２６】
図３〜図６に示す本発明の第一実施例に係る部材取付け金具２２は、本体２３と部材取付け用ピン２４、及び係止ピン２５から構成されている。本体２３は、建て枠１の垂直支柱部２に対して横から嵌合させることができるものであって、左右両側板部２６ａ，２６ｂと両側板部２６ａ，２６ｂをつなぐ正面板部２６ｃとを備え、正面板部２６ｃを建て枠１の垂直支柱部２の周面から浮かせた状態で前記垂直支柱部２を左右両側から弾性的に嵌合して挟む嵌合当接部２７が左右両側板部２６ａ，２６ｂに形成されている。
【００２７】
本体２３の正面板部２６ｃには、前記ブレース１６ａ，１６ｂの偏平端部１７に設けられた取付け孔１８（安全桟１９の偏平端部２０に設けられた取付け孔２１）と同一径の貫通孔２８が上端近傍位置に設けられ、正面板部２６ｃの下端近傍位置には、部材取付け用ピン２４が突設されている。この部材取付け用ピン２４は、建て枠１の垂直支柱部２に取り付けられる前のブレース取付け用ピン５ａ，５ｂに相当する、抜け止め具７を備えたピン本体６を、延長用スリーブ３４とボルト３５とを介して、本体２３の正面板部２６ｃに設けられた取付け孔２９に取り付けて構成している。延長用スリーブ３４は、ピン本体６と同一径の短いパイプ材の一端に大径のフランジ部３４ａを一体に連設して成るものであり、当該フランジ部３４ａを本体２３の正面板部２６ｃに当接させた状態で、正面板部２６ｃの裏面側から当該正面板部２６ｃを貫通させたボルト３５の螺軸部３５ａを延長用スリーブ３４とピン本体６の内側に圧入させ、必要に応じて、ピン本体６の周壁の一部をボルト３５の螺軸部３５ａに食い込ませるようにカシメて固着している。勿論、ピン本体６に前記ボルト３５の螺軸部３５ａが螺入する雌ネジ孔を加工して、ボルト３５のネジ込みにより延長用スリーブ３４を介してピン本体６を取り付けられるように構成しても良い。
【００２８】
係止ピン２５は、左右両側板部２６ａ，２６ｂの下端側に形成した延出部３０ａ，３０ｂに設けられた孔３１ａ，３１ｂを掛け外し自在に貫通するもので、一端には、中心位置で偏平状に押しつぶして形成された偏平係止部２５ａが形成され、他端側にはＬ形に折曲された操作ハンドル部２５ｂが連設されている。而して、操作ハンドル部２５ｂは、係止ピン２５が常時貫通する側板部２６ａ側の延出部３０ａの外側に配置され、この操作ハンドル部２５ｂを介して係止ピン２５を軸方向に引き抜いたとき、前記偏平係止部２５ａが延出部３０ａの内側に嵌入して両側板部２６ａ，２６ｂ間に垂直支柱部２の通路を確保できるように、延出部３０ａは外側へ屈曲突出されている。又、他方の側板部２６ｂ側の延出部３０ｂに設けられた孔３１ｂは、操作ハンドル部２５ｂを水平横向きに９０度回転させて前記偏平係止部２５ａを上下方向の向きにした状態でのみ、当該偏平係止部２５ａを通過させることができる上下対称の鍵穴状の被係止孔となっており、この被係止孔３１ｂから外側へ偏平係止部２５ａが突出した状態で操作ハンドル部２５ｂを下向きに垂下させることにより、係止ピン２５の引き抜きを偏平係止部２５ａが被係止孔３１ｂに係合して阻止するように構成している。
【００２９】
尚、本体２３には、その左右両側板部２６ａ，２６ｂから正面板部２６ｃにわたって連続するように、外側に膨らむ補強用リブ３６が形成されているが、正面板部２６ｃの内側に配置されるボルト３５の頭部とこの本体２３が嵌合する垂直支柱部２との干渉を避けるように、正面板部２６ｃのボルト３５の頭部が嵌合する補強用リブ３６の部分を特に外側に突出させている。更に、係止ピン２５が掛け外し自在に架設される左右両側板部２６ａ，２６ｂの延出部３０ａ，３０ｂは、その両方を外側に屈曲突出させて左右対称形に形成している。
【００３０】
上記構成の部材取付け金具（以下、金具という）２２の使用方法を説明すると、図７及び図８に示すように、部材取付け用ピン２４が貫通孔２８の下側に位置する上下向きの本体２３を、係止ピン２５を側板部２６ａ側に引き抜いて両側板部２６ａ，２６ｂ間を開放した状態で、建て枠１の垂直支柱部２の下側のブレース取付け用ピン５ｂに本体２３の貫通孔２８を嵌合させるように垂直支柱部２に外嵌させる。このとき、左右両側板部２６ａ，２６ｂから延出部３０ａ，３０ｂに至る部分が少し弾性に抗して押し広げられ、垂直支柱部２の直径方向両側に嵌合当接部２７が位置したとき、左右両側板部２６ａ，２６ｂから延出部３０ａ，３０ｂに至る部分が弾性復帰して両嵌合当接部２７が垂直支柱部２の直径方向両側面に嵌合し、本体２３が垂直支柱部２に仮止めされることになる。このとき、両嵌合当接部２７により垂直支柱部２に対して本体２３の姿勢と位置が決まり、本体２３の正面板部２６ｃの内側に配置されるボルト３５の頭部が垂直支柱部２の周面に接触することはない。
【００３１】
次に係止ピン２５を、前記のように操作ハンドル部２５ｂを水平横向きに９０度回転させて前記偏平係止部２５ａを上下方向の向きにした状態で係止ピン２５を軸方向に押し込み、当該係止ピン２５の先端の偏平係止部２５ａを側板部２６ｂ側の延出部３０ｂの被係止孔３１ｂに挿通させると共に操作ハンドル部２５ｂを下向きに垂下させ、係止ピン２５を両側板部２６ａ，２６ｂの延出部３０ａ，３０ｂ間に掛け渡して係止させる。尚、ブレース取付け用ピン５ｂと垂直支柱部２の周面との間の入隅部に盛り上がる溶接ビードがあっても、当該溶接ビードは、本体２３の正面板部２６ｃと垂直支柱部２の周面との間の空隙部内に収まり、当該溶接ビードに邪魔されて本体２３を垂直支柱部２に対し正常に嵌合させることができなくなることはない。
【００３２】
上記のようにして、下側のブレース取付け用ピン５ｂを介して垂直支柱部２の所定高さに金具２２を取り付けたならば、上側のブレース取付け用ピン５ａと、本体２３の貫通孔２８から突出している下側のブレース取付け用ピン５ｂとを利用して、前後に隣り合う建て枠１の垂直支柱部２間に交叉ブレース１６ａ，１６ｂを張設することができる。そして安全桟１９は、その両端の偏平端部２０における取付け孔２１を、ブレース取付け用ピン５ｂの下側位置で金具２２の本体２３から突設されている部材取付け用ピン２４に嵌合させる方法で、前後に隣り合う建て枠１の垂直支柱部２間に水平に架設することができる。このとき、垂直支柱部２の両側に交叉ブレース１６ａ，１６ｂ及び安全桟１９が架設される建て枠１においては、その垂直支柱部２の上下各ブレース取付け用ピン５ａ，５ｂに、２つのブレース１６ａ，１６ｂの偏平端部１７が互いに重なった状態で嵌合して取り付けられると共に、金具２２の部材取付け用ピン２４に、２つの安全桟１９の偏平端部２０が互いに重なった状態で嵌合して取り付けられる。
【００３３】
尚、図２に仮想線で示すように、補強用枠材４を構成するＬ形部材４ａの外向き下端部が下側のブレース取付け用ピン５ｂの直下の位置で垂直支柱部２に固着されているため、金具２２を、貫通孔２８の下側に部材取付け用ピン２４が位置する正立姿勢で垂直支柱部２に取り付けることができない場合には、図９及び図１０に示すように、金具２２を上下逆向きにした状態で、上記のように貫通孔２８と下側のブレース取付け用ピン５ｂを利用して垂直支柱部２に金具２２を取り付けて使用することになる。この場合、側面視において、交叉ブレース１６ａ，１６ｂの下端部の外側に安全桟１９が重なることになる。而して、本体２３から突設される部材取付け用ピン２４は、建て枠１の垂直支柱部２に取り付けられる前のブレース取付け用ピン５ａ，５ｂをそのまま利用しながら、延長用スリーブ３４の長さ分だけ有効長さ領域の長い部材取付け用ピンとなっているので、下側のブレース取付け用ピン５ｂに偏平端部１７が取り付けられたブレース１６ａ，１６ｂの外側において、安全桟１９の偏平端部２０を本体２３側の部材取付け用ピン２４に、前記ブレース１６ａ，１６ｂに邪魔されることなく取り付けることができる。
【００３４】
金具２２に突設される部材取付け用ピン２４は、図２Ｃに示す抜け止め具１１を有する構造のものでも良いが、図９及び図１０に示すように、金具２２を上下逆向きで使用することも可能にする場合は、重力に無関係に抜け止め作用姿勢を保持できる抜け止め具７を有する構造であることが望ましい。
【００３５】
次に、図１１〜図１４に基づいて本発明の第二実施例に係る部材取付け金具３７を説明すると、この金具３７も、先の実施例における金具２２と同様に、本体２３、部材取付け用ピン２４、及び係止ピン２５から構成されているが、本体２３は、上端側に前記貫通孔２８を備えた垂直部材３８と、この垂直部材３８の下端部に取り付けられたコ形部材３９とから構成されている。
【００３６】
垂直部材３８は、上端側に前記貫通孔２８を備えた正面板部３８ａの上端辺と左右両側辺とから直角に一体に折曲連設された側壁部３８ｂ，３８ｃ，３８ｄを有する横断面溝形のものである。コ形部材３９は、前記垂直部材３８の下端部に外嵌する横断面コ形部３９ｃから左右対称形に側板部３９ａ，３９ｂが一体に連設されたものであって、この左右両側板部３９ａ，３９ｂの内側に、先の実施例における金具２２の嵌合当接部２７に相当する嵌合当接部４０が形成され、更に、左右両側板部３９ａ，３９ｂの遊端延出部４１ａ，４１ｂ間に前記係止ピン２５が、同一の取り付け構造で掛け外し自在に架設されている。尚、この実施例の係止ピン２５には、操作ハンドル部２５ｂが折曲連設された側の端部周面の直径方向２箇所に、遊端延出部４１ａの貫通孔３１ａを当該遊端延出部４１ａの内側へ通過することができない抜け止め用張出部２５ｃが突設されている。又、コ形部材３９には、両遊端延出部４１ａ，４１ｂを除く周方向全域にわたって連続し且つ外向きに突出する補強用リブ４２が一体に形成されており、横断面コ形部３９ｃにおける補強用リブ４２の内側面に前記垂直部材３８の下端部外側面が当接している。
【００３７】
前記部材取付け用ピン２４は、先の実施例のものと基本的に同一のものであるが、この部材取付け用ピン２４を本体２３に取り付ける前記ボルト３５は、垂直部材３８の下端部に設けられた取付け孔４３から、コ形部材３９の横断面コ形部３９ｃにおける補強用リブ４２に設けられた取付け孔４４及び延長用スリーブ３４を経由してピン本体６に圧入され、ピン本体６の周壁の直径方向両側をカシメ４５により縮径させて、当該ピン本体６の内周面をボルト３５の螺軸部３５ａ（ネジ溝）に食い込ませるように圧着して、ピン本体６とボルト３５とを強固に結合一体化している。即ち、この第二実施例に係る部材取付け金具３７では、部材取付け用ピン２４を本体２３に取り付ける前記ボルト３５が、本体２３を構成する垂直部材３８とコ形部材３９とを一体に結合する結合具を兼用する構造となっている。尚、この第二実施例に係る部材取付け金具３７は、先の第一実施例に係る部材取付け金具２２と全く同一の使用方法により使用することができる。
【００３８】
尚、本発明の仮設足場用部材取付け金具は、図１５及び図１６に示す部材取付け金具４６のように、全長にわたって横断面コ字形の本体２３の正面板部２６ｃに、貫通孔２８と上記構成の部材取付け用ピン２４を取り付けただけのものであっても良い。この場合、本体２３の正面板部２６ｃの下端部にのみ外側に突曲する突曲部２６ｄを形成し、この突曲部２６ｄの内側に部材取付け用ピン２４を取り付けるボルト３５の頭部が入り込むように構成することができるが、更に図１７に示すように、垂直支柱部２を左右両側から弾性的に挟持する嵌合当接部４７を、本体２３の左右両側板部２６ａ，２６ｂに形成して、垂直支柱部２に対して本体２３を、ボルト３５の頭部が建て枠１の垂直支柱部２に当接しない位置に保持できるように構成するのが望ましい。又、上記各実施例で示したように嵌合当接部２７，４０，４７を設ける場合、この嵌合当接部２７，４０，４７は、左右両側板部２６ａ，２６ｂ又は３９ａ，３９ｂの片側にのみ形成し、他方の側板部との間で垂直支柱部２を挟持させることもできる。更に、上記各実施例での嵌合当接部２７，４０，４７は、左右両側板部２６ａ，２６ｂ又は３９ａ，３９ｂの弾性を利用して建て枠１の垂直支柱部２を挟持し、本体２３を垂直支柱部２に保持させる手段となっているが、単に垂直支柱部２に当接することにより、本体２３の正面板部２６ｃやボルト３５の頭部と垂直支柱部２の周面との間に一定の空隙を確保するだけの手段であっても良い。
【産業上の利用可能性】
【００３９】
本発明の仮設足場用部材取付け金具は、建て枠を利用して枠組み足場を組み立てるとき、この枠組み足場の安全性を高めるための安全桟を取り付ける金具として活用できる。
【符号の説明】
【００４０】
１    建て枠
２    建て枠の垂直支柱部
３    建て枠の水平連結材
４    建て枠の補強用枠材
５ａ，５ｂ    建て枠のブレース取付け用ピン
６，１０    ピン本体
７，１１    抜け止め具
１４    足場板
１５    足場板のフック部材
１６ａ，１６ｂ    ブレース
１７，２０    偏平端部
１８，２１，２９，４３，４４    取付け孔
１９    安全桟
２２，３７，４６    部材取付け金具
２３    本体
２４    部材取付け用ピン
２５    係止ピン
２５ａ    係止ピンの偏平係止部
２５ｂ    係止ピンの操作ハンドル部
２６ａ，２６ｂ，３９ａ，３９ｂ    左右両側板部
２６ｃ，３８ａ    正面板部
２７，４０，４７    嵌合当接部
２８    貫通孔
３０ａ，３０ｂ，４１ａ，４１ｂ    遊端延出部
３１ｂ    被係止孔
３４    延長用スリーブ
３５    ボルト
３５ａ    螺軸部
３６，４２    補強用リブ
３８    垂直部材
３９    コ形部材
４５    カシメ
【図１】
2010265743.tif 000003
【図２】
2010265743.tif 000004
【図３】
2010265743.tif 000005
【図４】
2010265743.tif 000006
【図５】
2010265743.tif 000007
【図６】
2010265743.tif 000008
【図７】
2010265743.tif 000009
【図８】
2010265743.tif 000010
【図９】
2010265743.tif 000011
【図１０】
2010265743.tif 000012
【図１１】
2010265743.tif 000013
【図１２】
2010265743.tif 000014
【図１３】
2010265743.tif 000015
【図１４】
2010265743.tif 000016
【図１５】
2010265743.tif 000017
【図１６】
2010265743.tif 000018
【図１７】
2010265743.tif 000019